(57)【特許請求の範囲】
【請求項１】
貯氷庫(20)に設けられ、該貯氷庫(20)の貯氷室(26)に貯留された氷を撹拌する撹拌機構において、
前記貯氷室(26)の一面を画成する壁部(30)に着脱可能に取り付けられ、該貯氷室(26)に配置される設置部材(61,62)と、
前記設置部材(61,62)に取り付けられて、前記貯氷室(26)に配置されるモータ(72)と、
一端が前記モータ(72)に接続支持されて前記貯氷室(26)に配置され、該モータ(72)によって回転されて貯氷室(26)の氷を撹拌する撹拌部材(74)とを備え、
前記設置部材(61,62)、前記モータ(72)および前記撹拌部材(74)を一体的に取り扱い可能なユニットとして構成した
ことを特徴とする撹拌機構。
【請求項２】
前記設置部材(62)は、鉤状に形成された係止部(66)を、前記壁部(30)に設けられた開口部(30a)の開口縁に引っ掛けて取り付けられる請求項１記載の撹拌機構。
【請求項３】
前記撹拌部材(74)は、前記モータ(72)に接続される一端と反対側の他端が、前記設置部材(62)と対向するように該設置部材(62)に支持された支持部(84)で回転可能に支持される請求項１または２記載の撹拌機構。
【発明の詳細な説明】
【技術分野】
【０００１】
この発明は、貯氷庫に設けられた氷の撹拌機構に関するものである。
【背景技術】
【０００２】
貯氷庫に内部画成された貯氷室に多数の氷塊を貯蔵して、必要に応じて取り出しできるよう構成されたアイスディスペンサが、飲食店等で広く用いられている(例えば、特許文献１参照)。特許文献１のアイスディスペンサは、貯氷室の底部に回転自在に配設され、貯氷室の氷を貯氷室の底部に開口する取出口に向けて押送する送出機構と、貯氷室における氷送出スクリューの上側に回転自在に配設され、貯氷室に貯留された氷を撹拌する撹拌機構(アジテータ)とを備えている。
【０００３】
前記送出機構は、回転軸の周りに螺旋状に巻き掛けられたフィンを有する氷送出スクリューと、貯氷室の前側を画成する前面パネルを貫通するように回転自在に設けられて、氷送出スクリューの回転軸前端を支持する第１カップリングと、この第１カップリングの前端に設けられた第１スプロケットに第１チェーンを介して連結され、貯氷室の外側に設置されたモータとから構成されている。撹拌機構は、回転軸の径方向に突出する撹拌棒を有する撹拌部材と、前記前面パネルを貫通するように回転自在に設けられて、撹拌部材の回転軸前端を支持する第２カップリングと、この第２カップリングの前端に設けられた第２スプロケットに第２チェーンを介して連結された前記モータとから構成されている。このように、アイスディスペンサは、１つのモータを駆動することで、氷送出スクリューおよび撹拌部材が連動して回転し、氷送出スクリューの回転により取出口から氷が送出されると共に、撹拌部材の回転により貯氷室の氷を撹拌することで氷のアーチングを防止している。
【先行技術文献】
【特許文献】
【０００４】
【特許文献１】特開２００６−２４２４５７号公報
【発明の概要】
【発明が解決しようとする課題】
【０００５】
特許文献１のアイスディスペンサは、撹拌機構を構成する撹拌部材が貯氷室に設置されるのに対し、この撹拌部材を回転するモータが貯氷室の外側に設置され、撹拌部材およびモータが前面パネルを貫通する第２カップリングで連繋されている。このため、撹拌機構を取り付けたりまたは取り外したりする際には、貯氷室の内側で撹拌部材を着脱する作業を行い、貯氷室の外側でモータや第２チェーン等を着脱する作業を行う必要があり、特に故障に際しての現場での交換作業に手間がかかる難点が指摘される。また、撹拌機構は、断熱構造の前面パネルを貫通して配設された第２カップリングを介して貯氷庫の内外に構成部材を振り分けて配置しているので、例えば第２カップリングを前面パネルに対して回転可能に支持する軸受け構造や前面パネルを貫通する第２カップリングの隙間を埋めるシール部材等が必要となり、構成部材が多くなると共に複雑になってしまう。
【０００６】
すなわち本発明は、従来の技術に係る貯氷庫に内在する前記問題に鑑み、これらを好適に解決するべく提案されたものであって、貯氷庫に対して着脱が容易な撹拌機構を提供することを目的とする。
【課題を解決するための手段】
【０００７】
前記課題を克服し、所期の目的を達成するため、本願の請求項１に係る発明の撹拌機構は、
貯氷庫に設けられ、該貯氷庫の貯氷室に貯留された氷を撹拌する撹拌機構において、
前記貯氷室の一面を画成する壁部に着脱可能に取り付けられ、該貯氷室に配置される設置部材と、
前記設置部材に取り付けられて、前記貯氷室に配置されるモータと、
一端が前記モータに接続支持されて前記貯氷室に配置され、該モータによって回転されて貯氷室の氷を撹拌する撹拌部材とを備え、
前記設置部材、前記モータおよび前記撹拌部材を一体的に取り扱い可能なユニットとして構成したことを要旨とする。
請求項１に係る発明によれば、撹拌機構が設置部材、モータおよび撹拌部材を一体的に取り扱い可能なユニットとして構成されているので、撹拌機構の取り付けおよび取り外し作業が容易である。また、撹拌機構は、設置部材、モータおよび撹拌部材が貯氷室に配置される構成であるので、貯氷室を画成する壁を挟んで貯氷室の外側と内側とに構成部材を分けて設置する場合と比べて、壁を貫通するための部材や貫通した壁を塞ぐ部材等を省略することができ、構成を簡素化することができる。
【０００８】
請求項２に係る発明では、前記設置部材は、鉤状に形成された係止部を、前記壁部に設けられた開口部の開口縁に引っ掛けて取り付けられることを要旨とする。
請求項２に係る発明によれば、撹拌機構は、設置部材の係止部を開口部の開口縁に引っ掛けることで設置することができ、撹拌機構の着脱をより容易にすることができる。
【０００９】
請求項３に係る発明では、前記撹拌部材は、前記モータに接続される一端と反対側の他端が、前記設置部材と対向するように該設置部材に支持された支持部で回転可能に支持されることを要旨とする。
請求項３に係る発明によれば、撹拌部材の両端がモータと支持部とによって支持されるので、モータにかかる負荷を軽減することができ、撹拌部材を大きく設定することが可能となる。すなわち、撹拌部材を大きく設定することで、貯氷室の広い範囲に撹拌部材の撹拌作用を及ぼすことができ、貯氷室においてアーチングの発生を好適に防止できる。
【発明の効果】
【００１０】
本発明に係る撹拌機構によれば、貯氷庫に容易に着脱することができる。
【図面の簡単な説明】
【００１１】
【図１】本発明の好適な実施例に係る撹拌機構を備えたアイスディスペンサを示す側断面図である。
【図２】実施例の撹拌機構を一部破断して示す側面図である。
【図３】実施例の撹拌機構を示す概略斜視図である。
【図４】実施例の撹拌機構について、シャフトカバーおよび撹拌部材を分解した状態を示す概略斜視図である。
【図５】実施例の撹拌モータと撹拌部材とを分解して示す概略斜視図である。
【図６】変更例の撹拌機構を一部破断して示す側面図である。
【発明を実施するための形態】
【００１２】
次に、本発明に係る撹拌機構につき、好適な実施例を挙げて、添付図面を参照して以下に説明する。以下の説明では、貯氷庫において貯氷室から氷を取り出す側を前側として、各構成の方向を指称する。
【実施例】
【００１３】
図１に示すように、アイスディスペンサ１０は、圧縮機ＣＭ、凝縮器ＣＤおよびこの凝縮器ＣＤを空冷するファンＦＭ等からなる冷凍機構１６および電装箱１８等が設置される機械室１４が内部画成された筐体部１２と、この筐体部１２の上側に設けられた断熱構造の貯氷庫２０とを備えている。実施例の貯氷庫２０は、平面視矩形状の箱状体であって、氷を製造する製氷機構２４が配設される製氷機構室２２が内側上部に設けられると共に、製氷機構室２２の下側に連通して、製氷機構２４で製造された氷を貯留する貯氷室２６が内側下部に設けられている。アイスディスペンサ１０は、冷凍機構１６を作動して製氷機構２４の製氷部２４ａを冷却したもとで製氷部２４ａへ給水して所要形状の氷を生成する製氷工程と、この生成された氷を製氷機構２４から放出する除氷工程とからなる製氷サイクルを繰り返すよう構成されている。そして、アイスディスペンサ１０は、除氷工程で製氷機構２４から放出された氷が貯氷室２６に貯留され、貯氷室２６の上部に設けられた貯氷スイッチ２８が、氷を検知することで製氷サイクルを停止するようになっている。また、貯氷庫２０は、貯氷室２６から氷を外部に送り出す送出機構５０と、貯氷室２６に貯留された氷を撹拌する撹拌機構(アジテータ)６０とを備えている。
【００１４】
前記貯氷庫２０は、前後左右および上下の各面が、ウレタン等の断熱材が充填された断熱構造のパネルで構成されている。貯氷庫２０には、該貯氷庫２０の前部を構成する前壁部３０に保守開口部(開口部)３０ａが設けられ、前壁部３０と同様の断熱構造の蓋パネル(パネル)３２で保守開口部３０ａが開閉可能に塞がれるようになっている(図１参照)。蓋パネル３２は、保守開口部３０ａに設けられたブラケット３１に対して、後面周縁部に配設されたスポンジ等の弾性体からなるシール材３２ａを弾力的に当接させて、ネジ等の締結手段で取り付けるようになっている。実施例の貯氷庫２０では、該貯氷庫２０における製氷機構室２２の前側を開放するように保守開口部３０ａが前壁部３０の上部に設けられ、蓋パネル３２を取り外して保守開口部３０ａを開放することで製氷機構室２２および該製氷機構室２２を介して貯氷室２６に外部からアクセス可能になっている。なお、保守開口部３０ａは、撹拌機構６０が通過可能な大きさに設定されている。
【００１５】
前記貯氷庫２０は、該貯氷庫２０の前後左右および下部をなす部分３０,３３,３４,３４,３５が、前壁部３０の蓋パネル３２を除いて一体形成され、該貯氷庫２０の上部をなす天板部３６が、前後左右の壁部３０,３３,３４,３４と別体に構成されている。そして、天板部３６は、前後左右の壁部３０,３３,３４,３４の上端面に対して着脱可能に取り付け、製氷機構室２２の上側を塞いでいる。アイスディスペンサ１０には、貯氷庫２０の前側を覆って前面カバー３８が着脱自在に設置され、前壁部３０の前側に設けられた送出機構５０の後述する連繋手段５７,５８,５９を前面カバー３８が隠すようになっている(図１参照)。貯氷庫２０には、該貯氷庫２０(貯氷室２６)の底部をなす底板部３５の前部分に取出口４０が形成されると共に、取出口４０から氷を案内するシュート４２が取出口４０に連通接続されている。アイスディスペンサ１０は、貯氷庫２０の下側に設けられた受台部４４に載置された容器Ｕに、取出口４０から垂下するシュート４２によって取出口４０から送り出された氷を案内するよう構成されている。
【００１６】
前記送出機構５０は、前後方向に回転軸５２ａが延在するように貯氷室２６の底部に配設された氷送出スクリュー５２と、連繋手段５５,５７,５８,５９を介して氷送出スクリュー５２を回転する送出モータ(モータ)５４とから基本的に構成されている(図１参照)。氷送出スクリュー５２は、回転軸５２ａの周りに螺旋状に巻き掛けられたフィン５２ｂを有し、回転軸５２ａの前端部が前壁部３０に回転自在に設けられたカップリング５５の貯氷室２６に臨む後部に接続されると共に、回転軸５２ａの後端部が後壁部３３に設けられた軸受部５６に回転自在に支持されるようになっている。送出モータ５４は、貯氷庫２０の下部に出力軸を前側に向けた姿勢で設置され、この出力軸に固定された駆動側スプロケット５７とカップリング５５の貯氷庫２０の外側に臨む前部に設けられた従動側スプロケット５８との間にチェーン５９が巻き掛けられている。送出機構５０は、送出モータ５４を駆動することで、駆動側スプロケット５７、チェーン５９、従動側スプロケット５８およびカップリング５５からなる連繋手段を介して氷送出スクリュー５２が回転され、回転する氷送出スクリュー５２のフィン５２ｂによって氷を取出口４０に向けて押送するよう構成されている。
【００１７】
前記撹拌機構６０は、貯氷室２６において送出機構５０の上側に位置して、貯氷室２６を画成する壁部３０の一つ(実施例では前壁部３０)に設置されている(図１参照)。撹拌機構６０は、前壁部３０に片持ち支持されて、貯氷室２６に収納されている。撹拌機構６０は、貯氷室２６を画成する前壁部３０に着脱可能に取り付けられて、貯氷室２６に臨む設置部材６２と、この設置部材６２に取り付けられて、貯氷室２６に配置される撹拌モータ(モータ)７２と、一端が撹拌モータ７２に接続支持されて、貯氷室２６に配置される撹拌部材７４とを備えている(図２または図３参照)。そして、撹拌機構６０は、設置部材６２、撹拌モータ７２および撹拌部材７４を一体的に取り扱い可能な１つのユニットとして構成されている。
【００１８】
前記設置部材６２は、撹拌機構６０を構成する構成部材７２,８０,８２の設置基盤となると共に貯氷庫２０への取り付け部分となる部材であって、撹拌機構６０において設置部材６２以外の撹拌モータ７２や撹拌部材７４は、貯氷庫２０に直接取り付けられない。設置部材６２は、前壁部３０への取り付け部分が形成されたベース部６４と、このベース部６４に取り付けられ、撹拌モータ７２が取り付けられるカバー部６８とから構成されている(図２参照)。ベース部６４には、板状のベース本体６５の上端に、カバー部６８が設置される側(貯氷室２６に臨む後面側)と反対側(実施例では前方)に折り返された鉤状の係止部６６が形成されている。また、ベース部６４には、ベース本体６５の後面(貯氷室２６側)に後方へ突出する規制片６７が、左右の側縁および下縁に延在する枠状に形成されている(図２または図４参照)。設置部材６２(ベース部６４)は、係止部６６を保守開口部３０ａにおける下側の開口縁に引っ掛けると共に、前壁部３０の内面に後方に向けて延出形成された保持部４６に載置されて、前壁部３０に着脱可能に設置される(図１参照)。係止部６６は、前壁部３０の内面に沿って立てた姿勢で延在するベース本体６５の上端から前方に延出する横片６６ａとこの横片６６ａの前端から垂下するように形成された縦片６６ｂとから構成され、縦片６６ｂとベース本体６５とが前後の関係で対向するようになっている。また、ベース部６４は、ベース本体６５と係止部６６の縦片６６ｂとの間隔が、前壁部３０の厚みと同一または該厚みより僅かに大きくなるよう形成されている。係止部６６は、保守開口部３０ａにおける下側の開口縁に横片６６ａを載置すると共に前壁部３０を縦片６６ｂとベース本体６５との間に挟むように構成され、保守開口部３０ａを蓋パネル３２で塞ぐことで横片６６ａが蓋パネル３２の下面と保守開口部３０ａにおける下側の開口縁に挟まれて移動規制されるようになっている。前壁部３０には、保守開口部３０ａにおける下側の開口縁に係止部６６の横片６６ａに合わせた左右幅で位置決め凹部３０ｂが設けられ(図４参照)、位置決め凹部３０ｂに横片６６ａを嵌め合わせて係止部６６(設置部材６２)が位置決めされる。
【００１９】
前記カバー部６８は、前方(前壁部３０側)が開放した箱状に形成され、左右方向の幅がベース部６４における対向する規制片６７間の幅に合わせて設定されている。カバー部６８は、前端部に内側に折り返すように設けられた当接部６８ａをベース本体６５に当接させると共に、規制片６７の内側に嵌め合わせて規制片６７で位置決めしたもとで該ベース部６４に対してネジ等により固定される。設置部材６２には、ベース部６４のベース本体６５とカバー部６８との間に撹拌モータ７２を収納可能な収納空間６２ａが画成され、ベース本体６５と対向するカバー部６８の設置板部７０に撹拌モータ７２の後述する出力軸７３が挿通される軸通口７０ａが貫通形成されている(図２参照)。設置部材６２は、軸通口７０ａを除いて密閉されて、外部から収納空間６２ａに水が入らないようになっている。
【００２０】
前記撹拌モータ７２は、出力軸７３を軸通口７０ａに挿通させた状態でカバー部６８における設置板部７０の前面に取り付けられ、ベース本体６５とカバー部６８との間の収納空間６２ａに収納されている(図２参照)。撹拌モータ７２は、該撹拌モータ７２の本体部分から突出する出力軸７３を後方へ向けて略水平に延在させた姿勢で設置部材６２に取り付けられており、軸通口７０ａを介して設置板部７０の後側に出力軸７３の先端が突出するようになっている(図４参照)。出力軸７３の先端は、断面略矩形状に形成されており、スプリングピン７９が挿入される駆動側ピン孔７３ａが出力軸７３の径方向に貫通形成されている(図５参照)。カバー部６８の側面に開設された配線開口(図示せず)を介して収納空間６２ａから引き出された撹拌モータ７２の配線は、シール材３２ａを変形させることで生じる蓋パネル３２とブラケット３１との隙間を介して貯氷庫２０の外部に引き出されて、機械室１４の電装箱１８に接続される。
【００２１】
実施例の撹拌部材７４は、丸棒形状のシャフト７６と、このシャフト７６の周面に該シャフト７６の径方向に突出するよう設けられた棒状の撹拌片７８とから構成されている(図２または図３参照)。撹拌部材７４は、シャフト７６の周面において該シャフト７６の軸方向を挟んで対称な位置関係で配置された一対の撹拌片７８,７８の組が複数組設けられ、隣り合う一対の撹拌片７８,７８の組同士がシャフト７６の周方向に９０°ずらして配設されている。撹拌部材７４は、シャフト７６の前端面に接続孔部７６ａが穿設されており、この接続孔部７６ａの開口形状が撹拌モータ７２の出力軸７３の先端形状と一致するようになっている(図５参照)。また、シャフト７６の前端(一端)には、該シャフト７６の径方向に貫通する従動側ピン孔７６ｂが設けられて、この従動側ピン孔７６ｂが接続孔部７６ａに連通するようになっている。撹拌部材７４は、設置部材６２の軸通口７０ａから後方へ突出する撹拌モータ７２の出力軸７３を接続孔部７６ａに嵌め合わせて、互いに整合させた従動側ピン孔７６ｂおよび駆動側ピン孔７３ａにスプリングピン７９を挿入することで出力軸７３に接続される。そして、撹拌部材７４は、出力軸７３に支持されて、シャフト７６が貯氷室２６を前後方向に横切って延在するように配置される。
【００２２】
実施例の撹拌機構６０は、カバー部６８における設置板部７０の後面に取り付けられて、軸通口７０ａを覆うシャフトカバー８０を備えている(図２または図４参照)。シャフトカバー８０は、前方に開放する箱状のカバー本体８１と、このカバー本体８１の上部および下部に延出形成されたフランジ部８２,８２とを備えている。カバー本体８１は、上下の幅が軸通口７０ａより大きく設定されると共に、左右の幅がカバー部６８における設置板部７０の左右幅に合わせて設定されており、軸通口７０ａと同軸的にシャフト開口８１ａが設けられている。シャフト開口８１ａは、シャフト７６の外形寸法に合わせて形成され、シャフト開口８１ａに挿通したシャフト７６の周りを隙間なく囲うようになっている。シャフトカバー８０は、シャフト７６をシャフト開口８１ａに挿通して、上下のフランジ部８２,８２を設置板部７０に当接させて該設置板部７０の後面に取り付けられ、設置板部７０とシャフトカバー８０のカバー本体８１との間に、撹拌部材７４のシャフト７６と撹拌モータ７２の出力軸７３との接続部位が収納される。ここで、シャフトカバー８０は、上下のフランジ部８２,８２における左右の隅部に設けられた通孔８２ａが、撹拌モータ７２の４隅に設けられたネジ孔７２ａに整合するよう構成されている。シャフトカバー８０は、フランジ部８２の通孔８２ａおよび設置板部７０の通孔７０ｂを介してネジ孔７２ａにネジＮを螺合することで、シャフトカバー８０だけでなく撹拌モータ７２も設置板部７０に取り付けられる。
【００２３】
前記撹拌機構６０は、撹拌部材７４におけるシャフト７６の後端(他端)を回転可能に支持する支持部８４を備えている(図２または図３参照)。すなわち、撹拌機構６０は、シャフト７６の前端が撹拌モータ７２で支持されると共に、シャフト７６の後端が支持部８４で支持されて、撹拌部材７４が両持ち構造となっている。支持部８４は、設置板部７０の四隅から後方へ延出するように設けられた４本の梁部８５によって設置板部７０の後面に対向するように支持された架台部８６に設けられている。各梁部８５は、断面円形の棒形状であって、氷の通過が可能な間隔をあけて４本の梁部８５が配置されている。このように、撹拌機構６０は、シャフトカバー８０および支持部８４についても設置部材６２に設けられている。
【００２４】
前記撹拌機構６０の取り外しに際して、先ず蓋パネル３２を取り外して保守開口部３０ａを開放することで、蓋パネル３２で挟まれて固定されていた設置部材６２の係止部６６が取り外し可能となる。そして、撹拌機構６０は、保持部４６の上に載置されているだけなので、設置部材６２を上方へ引き上げれば、係止部６６が保守開口部３０ａの開口縁から外れて、保守開口部３０ａから撹拌機構６０を外部に取り出すことができる。撹拌機構６０は、設置部材６２に撹拌モータ７２が直接取り付けられ、設置部材６２に直接取り付けられた梁部８５を介して架台部８６および支持部８４が支持されると共に撹拌モータ７２および支持部８４に撹拌部材７４が支持されており、全ての構成部材７２,７４,８４,８５,８６が直接または間接的に設置部材６２に支持されている。すなわち、撹拌機構６０の貯氷庫２０からの取り外しに際して、撹拌モータ７２や撹拌部材７４等の構成部材を分解する手間がかからず、撹拌モータ７２や撹拌部材７４等の構成部材を取り外すことなく、設置部材６２を貯氷庫２０から取り外すだけで、撹拌機構６０全体を簡単に取り外すことができる。撹拌機構６０を取り付ける際には、貯氷庫２０の外側で撹拌モータ７２や撹拌部材７４等の構成部材を組み立ててユニットとした状態で保守開口部３０ａを介して貯氷室２６に挿入し、設置部材６２の係止部６６を保守開口部３０ａの開口縁に引っ掛けると共に保持部４６に載置する。そして、保守開口部３０ａに蓋パネル３２を取り付けることで、係止部６６が位置決め凹部３０ｂに嵌合した状態で蓋パネル３２に挟まれて固定され、撹拌機構６０が貯氷室２６に設置される。このように、撹拌機構６０は、設置部材６２、撹拌モータ７２および撹拌部材７４等の構成部材を一体的に取り扱い可能なユニットとして構成することで、貯氷庫２０に対する着脱作業性を向上させることができる。また、撹拌機構６０は、設置部材６２を貯氷庫２０に対して着脱する作業だけで全体の取り付けまたは取り外しを行うことができ、従来例のように貯氷庫２０の内外の両方で構成部材の着脱作業が発生せず、撹拌機構６０に係るメンテナンス作業の手間をより軽減することができる。しかも、撹拌機構６０は、設置部材６２の係止部６６を保守開口部３０ａの開口縁に引っ掛けることで設置することができ、撹拌機構６０の着脱をより容易にすることができる。
【００２５】
前記撹拌機構６０は、設置部材６２、撹拌モータ７２、撹拌部材７４、梁部８５、架台部８６および支持部８４等の構成部材が貯氷室２６側だけに配置される構成であるので、従来例で説明したような前壁部３０を挟んで貯氷室２６の外側と内側とに構成部材を分けて設置する撹拌機構と比べて、壁部を貫通するためのカップリングや貫通した壁を塞ぐシール部材等を省略することができ、構成を簡素化することができる。しかも、撹拌機構６０は、送出機構５０の送出モータ５４と独立した専用の撹拌モータ７２を備えているので、送出モータ５４と撹拌部材７４とを連繋させる連繋手段を設ける必要がなく、より構成を簡素化することができる。また、撹拌機構６０は、構成が簡素なので故障の発生を抑えることができる。そして、撹拌機構６０と送出機構５０とを独立して動作させることができるので、氷が送出機構５０によって長期間取り出されなくても、撹拌機構６０を適宜のタイミングで別個に動作させることで、貯氷室２６においてアーチングの発生を好適に防止できる。
【００２６】
前述の如く撹拌機構６０は、構成部材７２,７４,８４,８５,８６が貯氷室２６側にだけに配置されるユニット構造であるので、前壁部３０に部材を通す貫通孔や貯氷庫の外側に撹拌モータを設置するためのスペース等を必要としない。すなわち、撹拌機構６０の設置が特に予定されてなかった既存の貯氷庫２０であっても、実施例の撹拌機構６０を後付けすることができる。貯氷室２６での氷のアーチングは、必ず起こるものではなく、機種毎に異なる氷の大きさや外気温等の設置環境などの種々の要因の影響を受けて、アーチングが起きたり起きなかったりする。実施例の撹拌機構６０によれば、貯氷庫２０に後付けすることができるので、撹拌機構６０を備えていないアイスディスペンサを設置した後に、アーチングが発生することが分かった場合や設置環境の変化によってアーチングが発生した場合に、撹拌機構６０を貯氷庫２０に後付けすることができる。すなわち、撹拌機構６０を備えていないアイスディスペンサを標準品とすることで、標準品のコストを下げることができ、必要に応じてオプション品である撹拌機構６０を取り付けることで最小限のコストでアーチングを好適に解消し得る。
【００２７】
前記撹拌機構６０は、撹拌部材７４の両端が撹拌モータ７２と支持部８４とによって支持されるので、撹拌モータ７２にかかる負荷を軽減することができ、撹拌部材７４を大きく設定することが可能となる。すなわち、撹拌部材７４を貯氷室２６の前後に亘るように大きく設定することで、貯氷室２６の広い範囲に撹拌部材７４の撹拌作用を及ぼすことができ、貯氷室２６においてアーチングの発生を好適に防止できる。しかも、撹拌モータ７２への負荷が軽減することで、撹拌モータ７２の寿命を伸ばすことができる。
【００２８】
(変更例)
前述した実施例に限定されず、例えば以下のように変更してもよい。
(１)貯氷庫は、製氷機構室と貯氷室とが一体的な構成に限られず、製氷機構室が別体であってもよい。また、製氷機構室と貯氷室とを組み合わせ可能なスタックオンタイプであってもよい。
(２)撹拌機構は、氷を送り出す送出機構を備えたアイスディスペンサに適用するものではなく、氷を使用者がスコップ等で取り出す単なる氷のストッカであってもよい。
(３)撹拌モータを設置部材に収納するよう構成したが、防水型のモータであれば露出させてもよい。
(４)撹拌部材は、撹拌部の配置および形状は実施例の構成に限定されず、例えば棒材が螺旋状に巻き掛けられる構成であってもよい。
(５)図６に示す変更例の撹拌機構９０のように、梁部、架台部および支持部を省略して、撹拌部材７４を撹拌モータ７２だけで支持する構成であってもよい。また、図６に示す設置部材６１のように、前壁部３０にネジＮで着脱可能に取り付けてもよい。更に、設置部材６１の上面を前壁部３０から離れるにつれて下方傾斜するように構成し、設置部材６１の上に氷が滞留しないようにしてもよい。なお、図６において実施例と同様の部材には、実施例と同じ符号を付してある。
【符号の説明】
【００２９】
２０  貯氷庫，２６  貯氷室，３０  前壁部(壁部)，３０ａ  保守開口部(開口部)，
６１,６２  設置部材，６６  係止部，７２  撹拌モータ(モータ)，７４  撹拌部材，
８４  支持部
【図１】
0005701161.tif 000002
【図２】
0005701161.tif 000003
【図３】
0005701161.tif 000004
【図４】
0005701161.tif 000005
【図５】
0005701161.tif 000006
【図６】
0005701161.tif 000007